(57)【要約】【課題】浴室の湿度を検知する湿度センサにより、検知した湿度と所定の湿度との比率を演算することで衣類乾燥レベルをリアルタイムに表示することを目的とする。【解決手段】浴室内の湿度を検知する湿度検知手段７と、前記湿度検知手段７により検知した湿度を入力し、この湿度とあらかじめ設定してある湿度所定値との比率を演算する衣類乾燥レベル演算手段９と、前記衣類乾燥レベル演算手段９により演算した結果を表示する衣類乾燥レベル表示手段１０とを備え、衣類乾燥レベルをリアルタイムに表示することを特徴とする浴室衣類乾燥装置３を得られる。【選択図】図１
2006068196.tif 000002
【特許請求の範囲】
【請求項１】
浴室内の空気を排気または循環または暖房する換気乾燥手段と、前記換気乾燥手段に配設され、浴室内の湿度を検知する湿度検知手段と、前記湿度検知手段により検知した湿度を入力し、この湿度とあらかじめ設定してある湿度所定値との比率を演算する衣類乾燥レベル演算手段と、前記衣類乾燥レベル演算手段により演算した結果を表示する衣類乾燥レベル表示手段とを備え、衣類乾燥レベルをリアルタイムに表示することを特徴とする浴室衣類乾燥装置。
【請求項２】
経過時間を記憶する経過時間記憶手段と、前記経過時間記憶手段により記憶した経過時間と湿度所定値までの時間の差を演算する衣類乾燥時間演算手段を設け、衣類乾燥時間をリアルタイムに表示することを特徴とする請求項１記載の浴室衣類乾燥装置。
【請求項３】
浴室内の空気を排気または循環または暖房する換気乾燥手段と、前記換気乾燥手段に配設され、浴室内の湿度を検知する湿度検知手段と、前記湿度検知手段により検知した湿度を入力し、この湿度とあらかじめ設定してある湿度所定値との比率を演算する浴室乾燥レベル演算手段と、前記浴室乾燥レベル演算手段により演算した結果を表示する浴室乾燥レベル表示手段とを備え、浴室乾燥レベルをリアルタイムに表示することを特徴とする浴室衣類乾燥装置。
【請求項４】
経過時間を記憶する経過時間記憶手段と、前記経過時間記憶手段により記憶した経過時間と湿度所定値までの時間の比率を演算する浴室乾燥時間演算手段を設け、浴室乾燥時間をリアルタイムに表示することを特徴とする請求項３に記載の浴室衣類乾燥装置。
【請求項５】
衣類乾燥を停止する衣類乾燥停止手段を備え、湿度所定値または衣類乾燥時間に達すれば、前記衣類乾燥停止手段により衣類乾燥を停止することを特徴とする請求項１あるいは２に記載の浴室衣類乾燥装置。
【請求項６】
浴室乾燥を停止する浴室乾燥停止手段を備え、湿度所定値または浴室乾燥時間に達すれば、前記浴室乾燥停止手段により浴室乾燥を停止すること特徴とする請求項３あるいは４記載の浴室衣類乾燥装置。
【請求項７】
ブザーにより報知する報知手段を備え、衣類乾燥運転を停止すれば、前記報知手段により報知することを特徴とする請求項１、２あるいは５記載の浴室衣類乾燥装置。
【請求項８】
ブザーにより報知する報知手段を備え、浴室乾燥運転を停止すれば、前記報知手段により報知することを特徴とする請求項３、４あるいは６記載の浴室衣類乾燥装置。
【請求項９】
衣類乾燥レベルあるいは浴室乾燥レベルを表示する表示手段はデジタルによる数値にて表示することを特徴とする請求項１、３、５、６、７あるいは８記載の浴室衣類乾燥装置。
【請求項１０】
衣類乾燥レベルを表示する衣類乾燥レベル表示手段と浴室乾燥レベルを表示する浴室乾燥レベル表示手段とを切替る表示切替手段を備え、前記衣類乾燥レベル表示手段と前記浴室乾燥レベル表示手段とを切替えることを特徴とする浴室衣類乾燥装置。
【発明の詳細な説明】
【技術分野】
【０００１】
本発明は、浴室内を換気または循環または暖房して衣類を乾燥したり浴室を乾燥を行う浴室衣類乾燥装置に関する。
【背景技術】
【０００２】
近年、屋外の空気環境悪化に伴い、浴室にて衣類を乾燥させることが多くなっているものの、衣類の乾燥度合いや乾燥するまでの時間、更には浴室自体の乾燥度合いや乾燥するまでの時間を表示したいとの要望があり、衣類や浴室の乾燥状態をリアルタイムで表示する浴室衣類乾燥装置が求められている。
【０００３】
従来、この種の浴室乾燥機は、浴室内の湿度を検出し、この湿度があらかじめ設定された浴室内の湿度とが一致すれば衣類が乾燥したものとして浴室換気乾燥機の運転を停止するものが知られている（例えば、特許文献１参照）。以下、その浴室乾燥機について図３３を参照しながら説明する。
【０００４】
図に示すように、浴室換気乾燥機１０１は運転動作制御を行う制御部１０２と浴室内の湿度を検出する湿度センサ１０３とほぼ１５％から３０％の範囲の複数の湿度のいずれかを選択して制御部１０２に入力する入力手段１０４とからなり、検出した湿度と選択した湿度とが一致した場合は衣類乾燥運転を中止する機能を有している。
【特許文献１】特開平１０−０９９５９７号公報
【発明の開示】
【発明が解決しようとする課題】
【０００５】
このような従来の浴室換気乾燥機では、浴室内の空気を換気または循環または暖房して衣類を乾燥する際、運転している最中に衣類乾燥レベルが分らないという課題があり、リアルタイムに衣類乾燥レベルを表示することが要求されている。
【０００６】
本発明は、このような従来の課題を解決するものであり、浴室の湿度を検知する湿度センサにより、検知した湿度とあらかじめ設定してある所定の湿度との比率を演算することで衣類乾燥レベルを把握し、更にはこれをリアルタイムに表示することのできる浴室衣類乾燥装置を提供することを目的としている。
【０００７】
また、衣類が乾燥するまでの時間が分らないという課題があり、リアルタイムに衣類乾燥時間を表示することが要求されている。
【０００８】
本発明は、このような従来の課題を解決するものであり、浴室の湿度を検知する湿度センサにより、運転開始後の湿度が所定の湿度になるまでの時間を演算し、これと経過時間と差を演算することで衣類乾燥時間をリアルタイムに表示することのできる浴室衣類乾燥装置を提供することを目的としている。
【０００９】
また、浴室内の空気を換気または循環または暖房して浴室を乾燥する際、運転している最中に浴室乾燥レベルが分らないという課題があり、リアルタイムに浴室乾燥レベルを表示することが要求されている。
【００１０】
本発明は、このような従来の課題を解決するものであり、浴室内の湿度を検知する湿度センサにより、検知した湿度とあらかじめ設定してある所定の湿度との比率を演算することで浴室乾燥レベルをリアルタイムに表示することのできる浴室衣類乾燥装置を提供することを目的としている。
【００１１】
また、浴室が乾燥するまでの時間が分らないという課題があり、リアルタイムに浴室乾燥時間を表示することが要求されている。
【００１２】
本発明は、このような従来の課題を解決するものであり、浴室の湿度を検知する湿度センサにより、運転開始後の湿度が所定の湿度になるまでの時間を演算し、これと経過時間との差を演算することで浴室乾燥時間をリアルタイムに表示することのできる浴室衣類乾燥装置を提供することを目的としている。
【００１３】
また、衣類乾燥レベルあるいは衣類乾燥時間あるいは浴室乾燥レベルあるいは浴室乾燥時間を表示して、衣類あるいは浴室の乾燥が完了したとしても、浴室衣類乾燥装置は運転を継続し電力を無駄に消費してしまうという課題があり、衣類あるいは浴室が乾燥状態に達すれば、浴室衣類乾燥装置の運転を停止することが要求されている。
【００１４】
本発明は、このような従来の課題を解決するものであり、衣類あるいは浴室が乾燥状態に達すれば、浴室衣類乾燥装置の運転を停止することができる浴室衣類乾燥装置を提供することを目的としている。
【００１５】
また、衣類乾燥レベルあるいは衣類乾燥時間あるいは浴室乾燥レベルあるいは浴室乾燥時間を表示して衣類あるいは浴室の乾燥が完了しても、住居者が他の部屋に居る場合は衣類あるいは浴室が乾燥状態に達したことが分らないという課題があり、衣類あるいは浴室が乾燥状態に達した時点で、ブザーにより居住者に知らしめることが要求されている。
【００１６】
本発明は、このような従来の課題を解決するものであり、衣類あるいは浴室が乾燥状態に達すれば、ブザーにより乾燥したことを知らしめることができる浴室衣類乾燥装置を提供することを目的としている。
【００１７】
また、衣類乾燥レベルあるいは浴室乾燥レベルの表示が図やイラストでは分りにくいという課題があり、衣類乾燥レベルあるいは浴室乾燥レベルの表示をデジタルによる数値にて表示することが要求されている。
【００１８】
本発明は、このような従来の課題を解決するものであり、衣類乾燥レベルあるいは浴室乾燥レベルの表示方法をデジタルによる数値にて表示することができる浴室衣類乾燥装置を提供することを目的としている。
【００１９】
また、衣類乾燥レベルあるいは衣類乾燥時間あるいは浴室乾燥レベルあるいは浴室乾燥時間を各々につき表示スペースを設けると表示パネルが大きくなるという課題があり、衣類乾燥レベルあるいは衣類乾燥時間あるいは浴室乾燥レベルあるいは浴室乾燥時間を同じ表示パネルで各々、表示できることが要求されている。
【００２０】
本発明は、このような従来の課題を解決するものであり、衣類乾燥レベルあるいは衣類乾燥時間あるいは浴室乾燥レベルあるいは浴室乾燥時間を同じ表示パネルでそれぞれ表示できる浴室衣類乾燥装置を提供することを目的としている。
【課題を解決するための手段】
【００２１】
本発明の浴室衣類乾燥装置は上記目的を達成するために、浴室内の空気を排気または循環または暖房する換気乾燥手段と、前記換気乾燥手段に配設され、浴室内の湿度を検知する湿度検知手段と、前記湿度検知手段により検知した湿度を入力し、この湿度とあらかじめ設定してある湿度所定値との比率を演算する衣類乾燥レベル演算手段と、前記衣類乾燥レベル演算手段により演算した結果を表示する衣類乾燥レベル表示手段とを備え、衣類乾燥レベルをリアルタイムに表示する構成としたものである。
【００２２】
これにより、浴室の湿度を検知する湿度センサにより、検知した湿度と所定の湿度との比率を演算することで衣類乾燥レベルをリアルタイムに表示する浴室衣類乾燥装置が得られる。
【００２３】
また、本発明の浴室衣類乾燥装置は上記目的を達成するために、経過時間を記憶する経過時間記憶手段と、前記経過時間記憶手段により記憶した経過時間とあらかじめ設定してある湿度所定値までの時間の差を演算する衣類乾燥時間演算手段を設け、衣類乾燥時間をリアルタイムに表示する構成としたものである。
【００２４】
これにより、浴室の湿度を検知する湿度センサにより、経過時間と所定の湿度になるまでの時間の差を演算することで衣類乾燥時間をリアルタイムに表示する浴室衣類乾燥装置が得られる。
【００２５】
また、本発明の浴室衣類乾燥装置は上記目的を達成するために、浴室内の空気を排気または循環または暖房する換気乾燥手段と、前記換気乾燥手段に配設され、浴室内の湿度を検知する湿度検知手段と、前記湿度検知手段により検知した湿度を入力し、この湿度とあらかじめ設定してある湿度所定値との比率を演算する浴室乾燥レベル演算手段と、前記浴室乾燥レベル演算手段により演算した結果を表示する浴室乾燥レベル表示手段とを備え、浴室乾燥レベルをリアルタイムに表示する構成としたものである。
【００２６】
これにより、浴室内の湿度を検知する湿度センサにより、検知した湿度と所定の湿度との比率を演算することで浴室乾燥レベルをリアルタイムに表示する浴室衣類乾燥装置が得られる。
【００２７】
また、本発明の浴室衣類乾燥装置は上記目的を達成するために、経過時間を記憶する経過時間記憶手段と、前記経過時間記憶手段により記憶した経過時間と湿度所定値のまでの時間の比率を演算する浴室乾燥時間演算手段を設け、浴室乾燥時間をリアルタイムに表示する構成としたものである。
【００２８】
これにより、浴室の湿度を検知する湿度センサにより、浴室の湿度を検知する湿度センサにより、経過時間と所定の湿度になるまでの時間の差を演算することで浴室乾燥時間をリアルタイムに表示する浴室衣類乾燥装置が得られる。
【００２９】
また、本発明の浴室衣類乾燥装置は上記目的を達成するために、衣類乾燥を停止する衣類乾燥停止手段を備え、湿度所定値または衣類乾燥時間に達すれば、前記停止手段により衣類乾燥を停止する構成としたものである。
【００３０】
これにより、衣類が乾燥状態に達すれば、浴室衣類乾燥装置の運転を停止する浴室衣類乾燥装置が得られる。
【００３１】
また、本発明の浴室衣類乾燥装置は上記目的を達成するために、浴室乾燥を停止する浴室乾燥停止手段を備え、湿度所定値または浴室乾燥時間に達すれば、前記停止手段により浴室乾燥を停止する構成としたものである。
【００３２】
これにより、浴室が乾燥状態に達すれば、浴室衣類乾燥装置の運転を停止する浴室衣類乾燥装置が得られる。
【００３３】
また、本発明の浴室衣類乾燥装置は上記目的を達成するために、ブザーにより報知する報知手段を備え、衣類乾燥運転を停止すれば、前記報知手段により報知する構成としたものである。
【００３４】
これにより、衣類が乾燥状態に達すれば、ブザーにより乾燥したことを知らしめる浴室衣類乾燥装置が得られる。
【００３５】
また、本発明の浴室衣類乾燥装置は上記目的を達成するために、ブザーにより報知する報知手段を備え、浴室乾燥運転を停止すれば、前記報知手段により報知する構成としたものである。
【００３６】
これにより、浴室が乾燥状態に達すれば、ブザーにより乾燥したことを知らしめる浴室衣類乾燥装置が得られる。
【００３７】
また、本発明の浴室衣類乾燥装置は上記目的を達成するために、衣類乾燥レベルあるいは浴室乾燥レベルを表示する表示手段はデジタルで表示する構成としたものである。
【００３８】
これにより、衣類乾燥レベルあるいは浴室乾燥レベルの表示方法をデジタルによる数値にて表示する浴室衣類乾燥装置が得られる。
【００３９】
また、本発明の浴室衣類乾燥装置は上記目的を達成するために、衣類乾燥レベルを表示する表示手段と浴室乾燥レベルを表示する表示手段とを切替る表示切替手段を備え、衣類乾レベル表示する表示手段と浴室乾燥レベルを表示する表示手段とを自在に切替えできる構成としたものである。
【００４０】
これにより、衣類乾燥レベルあるいは衣類乾燥時間あるいは浴室乾燥レベルあるいは浴室乾燥時間を同じ表示パネルでそれぞれ表示する浴室衣類乾燥装置が得られる。
【発明の効果】
【００４１】
本発明によれば浴室の湿度を検知する湿度センサにより、検知した湿度とあらかじめ設定してある所定の湿度との比率を演算することで衣類乾燥レベルをリアルタイムに表示することのできる浴室衣類乾燥装置を提供できる。
【００４２】
また、浴室の湿度を検知する湿度センサにより、経過時間と所定の湿度になるまでの時間の差を演算することで衣類乾燥時間をリアルタイムに表示することのできる浴室衣類乾燥装置を提供できる。
【００４３】
また、浴室内の湿度を検知する湿度センサにより、検知した湿度とあらかじめ設定してある所定の湿度との比率を演算することで浴室乾燥レベルをリアルタイムに表示することのできる浴室衣類乾燥装置を提供できる。
【００４４】
また、浴室の湿度を検知する湿度センサにより、浴室の湿度を検知する湿度センサにより、経過時間と所定の湿度になるまでの時間の差を演算することで浴室乾燥時間をリアルタイムに表示することのできる浴室衣類乾燥装置を提供できる。
【００４５】
また、衣類が乾燥状態に達すれば、浴室衣類乾燥装置の運転を停止することのできる浴室衣類乾燥装置を提供できる。
【００４６】
また、浴室が乾燥状態に達すれば、浴室衣類乾燥装置の運転を停止することのできる浴室衣類乾燥装置を提供できる。
【００４７】
また、衣類が乾燥状態に達すれば、ブザーにより乾燥したことを知らしめることのできる浴室衣類乾燥装置を提供できる。
【００４８】
また、浴室が乾燥状態に達すれば、ブザーにより乾燥したことを知らしめることのできる浴室衣類乾燥装置を提供できる。
【００４９】
また、衣類乾燥レベルあるいは浴室乾燥レベルの表示方法をデジタルによる数値で表示することのできる浴室衣類乾燥装置を提供できる。
【００５０】
また、衣類乾燥レベルあるいは衣類乾燥時間あるいは浴室乾燥レベルあるいは浴室乾燥時間を同じ表示パネルでそれぞれ表示することのできる浴室衣類乾燥装置を提供できる。
【発明を実施するための最良の形態】
【００５１】
本発明の請求項１記載の発明は、浴室内の空気を排気または循環または暖房する換気乾燥手段と、前記換気乾燥手段に配設され、浴室内の湿度を検知する湿度検知手段と、前記湿度検知手段により検知した湿度を入力し、この湿度とあらかじめ設定してある湿度所定値との比率を演算する衣類乾燥レベル演算手段と、前記衣類乾燥レベル演算手段により演算した結果を表示する衣類乾燥レベル表示手段とを備え、衣類乾燥レベルをリアルタイムに表示するものであり、浴室の湿度を検知する湿度センサにより、検知した湿度と所定の湿度との比率を演算することで衣類乾燥レベルをリアルタイムに表示するという作用を有する。
【００５２】
また、経過時間を記憶する経過時間記憶手段と、前記経過時間記憶手段により記憶した経過時間と湿度所定値までの時間の差を演算する衣類乾燥時間演算手段を設け、衣類乾燥時間をリアルタイムに表示するものであり、浴室の湿度を検知する湿度センサにより、経過時間と所定の湿度になるまでの時間の差を演算することで衣類乾燥時間をリアルタイムに表示するという作用を有する。
【００５３】
また、浴室内の空気を排気または循環または暖房する換気乾燥手段と、前記換気乾燥手段に配設され、浴室内の湿度を検知する湿度検知手段と、前記湿度検知手段により検知した湿度を入力し、この湿度とあらかじめ設定してある湿度所定値との比率を演算する浴室乾燥レベル演算手段と、前記浴室乾燥レベル演算手段により演算した結果を表示する浴室乾燥レベル表示手段とを備え、浴室乾燥レベルをリアルタイムに表示するものであり、浴室内の湿度を検知する湿度センサにより、検知した湿度と所定の湿度との比率を演算することで浴室乾燥レベルをリアルタイムに表示するという作用を有する。
【００５４】
また、経過時間を記憶する経過時間記憶手段と、前記経過時間記憶手段により記憶した経過時間と湿度所定値までの時間の比率を演算する浴室乾燥時間演算手段を設け、浴室乾燥時間をリアルタイムに表示するものであり、浴室の湿度を検知する湿度センサにより、浴室の湿度を検知する湿度センサにより、経過時間と所定の湿度になるまでの時間の差を演算することで浴室乾燥時間をリアルタイムに表示するという作用を有する。
【００５５】
また、衣類乾燥を停止する衣類乾燥停止手段を備え、湿度所定値または衣類乾燥時間に達すれば、前記衣類乾燥停止手段により衣類乾燥を停止するものであり、衣類が乾燥状態に達すれば、浴室衣類乾燥装置の運転を停止するという作用を有する。
【００５６】
また、浴室乾燥を停止する浴室乾燥停止手段を備え、湿度所定値または浴室乾燥時間に達すれば、前記浴室乾燥停止手段により浴室乾燥を停止するものであり、浴室が乾燥状態に達すれば、浴室衣類乾燥装置の運転を停止するという作用を有する。
【００５７】
また、ブザーにより報知する報知手段を備え、衣類乾燥運転を停止すれば、前記報知手段により報知するものであり、衣類が乾燥状態に達すれば、ブザーにより乾燥したことを知らしめるという作用を有する。
【００５８】
また、ブザーにより報知する報知手段を備え、浴室乾燥運転を停止すれば、前記報知手段により報知するものであり、浴室が乾燥状態に達すれば、ブザーにより乾燥したことを知らしめるという作用を有する。
【００５９】
また、衣類乾燥レベルあるいは浴室乾燥レベルを表示する表示手段はデジタルによる数値で表示するものであり、衣類乾燥レベルあるいは浴室乾燥レベルの表示方法をデジタルにより表示するという作用を有する。
【００６０】
また、衣類乾燥レベルを表示する表示手段と浴室乾燥レベルを表示する表示手段とを切替る表示切替手段を備え、衣類乾レベル表示する表示手段と浴室乾燥レベルを表示する表示手段とを自在に切替えできるものであり、衣類乾燥レベルあるいは衣類乾燥時間あるいは浴室乾燥レベルあるいは浴室乾燥時間を同じ表示パネルでそれぞれ表示するという作用を有する。
【００６１】
以下、本発明の実施の形態について図面を参照しながら説明する。
【００６２】
（実施の形態１）
図１および図２に示すように、天井１にダクト２を介して設置された浴室衣類乾燥装置３は、浴室内への空気の取り入れ口、あるいは浴室外への空気の排出口となるルーバー４と、回転することで浴室内の空気をダクト２を介して屋外へ排出する排気ファン５と、回転することで浴室内の空気を循環する循環ファン６と、浴室衣類乾燥装置３に浴室の湿度を検出する湿度検出手段７と、操作部８に所定時間ごとに検出した湿度を入力し、この湿度とあらかじめ設定してある湿度との比率を演算する衣類乾燥レベル演算手段９と、演算した結果を表示する衣類乾燥レベル表示手段１０とを備え、衣類乾燥レベルをリアルタイムに表示する構成とする。
【００６３】
次に、衣類乾燥レベル演算手段９について図３を参照しながら説明する。図に示すように、横軸に浴室衣類乾燥装置３の運転時間、縦軸に浴室の湿度を示す湿度−運転時間曲線１１の関係は、運転時間が経過するにつれて湿度が低下するという1次曲線で表され、且つ湿度が１５％に達するとそれ以降は飽和する曲線に近似できる。一般的に浴室の湿度が１５％になると衣類が乾燥することから、湿度１５％に対する検出した湿度の比率を演算することで衣類乾燥レベルを演算できることとなる。
【００６４】
次に、衣類乾燥レベル表示手段１０について図４を参照しながら説明する。図に示すように、浴室衣類乾燥装置３の運転条件を設定する操作部８に、衣類を５分割にした衣類乾燥レベル表示部１２を設け、衣類乾燥レベル演算手段９により演算した結果を「０〜２０％」、「２１〜４０％」、「４１〜６０％」、「６１〜８０％」、「８１〜１００％」に当てはめ衣類乾燥レベルを低い方から徐々に点灯する構成とする。
【００６５】
この表示により、衣類が全く乾燥していないときは５分割された衣類乾燥レベル表示部１２は点灯せず、徐々に衣類乾燥レベルが高くなるにつれ、衣類乾燥レベル表示部１２の上部から順次点灯し、衣類が完全に乾燥した時点にではすべてを点灯することで、運転している最中においても衣類乾燥レベルが視覚的に分ることとなる。
【００６６】
次に、上記のように構成した衣類乾燥レベルを表示する動作について図５を参照しながら説明する。ステップ１３で運転開始後、ステップ１４で湿度「Ｈα」を入力し、ステップ１５で湿度１５％に対する比率を演算し衣類乾燥レベル「ＤＬ」を導く。そして、ステップ１６で演算した結果を「０〜２０％」、「２１〜４０％」、「４１〜６０％」、「６１〜８０％」、「８１〜１００％」の５段階に判別する。そして、ステップ１７で衣類乾燥レベル表示手段１０、例えばＬＥＤにより、段階に応じてＬＥＤを表示する。そして、ステップ１４に戻り動作を繰り返すことでリアルタイムに衣類乾燥レベル「ＤＬ」を表示することとなる。
【００６７】
以上のように、浴室の湿度を検知する湿度センサにより、検知した湿度と所定の湿度との比率を演算することで衣類乾燥レベルをリアルタイムに表示することとする。
【００６８】
なお、本実施の形態１において、衣類乾燥レベルを５段階に表示することとしたがこれよりも少なくても多くても同様の効果を有する。
【００６９】
また、衣類乾燥レベルの表示図柄を衣類としたが他の表示図柄でも作用効果に差異はない。
【００７０】
（実施の形態２）
図６および図７に示すように、天井１にダクト２を介して設置された浴室衣類乾燥装置３ａは、浴室内への空気の取り入れ口、あるいは浴室外への空気の排出口となるルーバー４と、回転することで浴室内の空気をダクト２を介して屋外へ排出する排気ファン５と、回転することで浴室内の空気を循環する循環ファン６と、浴室衣類乾燥装置３ａに浴室の湿度を検出する湿度検出手段７と、操作部８ａに運転時間を記憶する経過時間記憶手段１８と、所定時間ごとに検出した湿度を入力し、経過時間と衣類が乾燥するまでの時間との差を演算する衣類乾燥時間演算手段１９と、演算した結果を表示する衣類乾燥時間表示手段２０とを備え、衣類乾燥時間をリアルタイムに表示する構成とする。
【００７１】
次に、衣類乾燥時間演算手段１９について図８を参照しながら説明する。図に示すように、横軸に浴室衣類乾燥装置３ａの運転時間、縦軸に浴室の湿度を示す湿度−経過時間曲線１１ｂの関係は、運転時間が経過するにつれて湿度が低下するという１次曲線で表され、且つ湿度が１５％に達するとそれ以降は飽和する曲線に近似できる。そこで運転開始後の湿度から湿度が１５％になるまでの時間、即ち衣類乾燥が完了するまでの時間を演算することができる。そして、この衣類乾燥が完了するまでの時間と経過時間との差を演算することで衣類乾燥時間を演算できることとなる。そして所定時間ごとに経過時間との差を繰り返し演算することで、衣類乾燥時間を都度、演算できることとなる。
【００７２】
次に、衣類乾燥時間表示手段２０について図９を参照しながら説明する。図に示すように、浴室衣類乾燥装置３ａの運転条件を設定する操作部８ａに、衣類乾燥時間を表示する衣類乾燥時間表示部２１を設け、衣類乾燥時間演算手段１９により演算した衣類乾燥時間を表示する構成とする。
【００７３】
次に、上記のように構成した衣類乾燥時間の表示の動作について図１０を参照しながら説明する。ステップ２２で運転を開始後、運転タイマーをスタートし、ステップ２３で経過時間「Ｔｐ」を記憶する。ステップ２４で運転開始時の湿度「Ｈ０」を入力し、ステップ２５で温度−経過時間曲線から湿度「Ｈ０」における時間「Ｔ０」を演算する。そして、ステップ２６で湿度が１５％になる時間「Ｔ１５」と「Ｔ０」の減算により衣類乾燥完了時間「Ｔｄｒｙ」を演算する。そして、ステップ２７で衣類乾燥完了時間「Ｔｄｒｙ」と経過時間「Ｔｐ」    との差を演算することで衣類乾燥時間「Ｔｅｎｄ」を導く。そして、ステップ２８で衣類乾燥時間表示部２１、例えばＬＥＤにより、表示する。そして、ステップ２３に戻り動作を繰り返すことでリアルタイムに衣類乾燥度時間を表示することとなる。
【００７４】
以上のように、浴室の湿度を検知する湿度センサにより、経過時間と所定の湿度になるまでの時間の差を演算することで衣類乾燥時間をリアルタイムに表示することとする。
【００７５】
（実施の形態３）
図１１および図１２に示すように、天井１にダクト２を介して設置された浴室衣類乾燥装置３ｂは、浴室内への空気の取り入れ口、あるいは浴室外への空気の排出口となるルーバー４と、回転することで浴室内の空気をダクト２を介して屋外へ排出する排気ファン５と、回転することで浴室内の空気を循環する循環ファン６と、浴室衣類乾燥装置に浴室の湿度を検出する湿度検出手段７と、操作部８ｂに所定時間ごとに検出した湿度を入力し、この湿度とあらかじめ設定してある湿度との比率を演算する浴室乾燥レベル演算手段２９と、演算した結果を表示する浴室乾燥レベル表示手段３０とを備え、浴室乾燥レベルをリアルタイムに表示する構成とする。
【００７６】
次に、浴室乾燥レベル演算手段２９について図１３を参照しながら説明する。図に示すように、横軸に浴室衣類乾燥装置３ｂの運転時間、縦軸に浴室の湿度を示す湿度−経過時間曲線１１ａの関係は、運転時間が経過するにつれて湿度が低下するという１次曲線で表され、且つ湿度が１５％に達するとそれ以降は飽和する曲線に近似できる。一般的に浴室の湿度が１５％になると浴室が乾燥することから、湿度１５％に対する検出した湿度の比率を演算することで浴室乾燥レベルを演算できることとなる。
【００７７】
次に、浴室乾燥レベル表示手段３０について図１４を参照しながら説明する。図に示すように、浴室衣類乾燥装置３ｂの運転条件を設定する操作部８ｂに、浴室を５分割にした浴室乾燥レベル表示部３１を設け、浴室乾燥レベル演算手段２９により演算した結果を「０〜２０％」、「２１〜４０％」、「４１〜６０％」、「６１〜８０％」、「８１〜１００％」に当てはめ浴室乾燥レベルを高い方から徐々に点灯する構成とする。
【００７８】
この表示により、浴室が全く乾燥していないときは５分割された浴室乾燥レベル表示部３１は点灯せず、徐々に浴室乾燥レベルが高くなるにつれ、浴室乾燥レベル表示部３１上部から順次点灯し、浴室が完全に乾燥した時点にではすべてを点灯することで、運転している最中においても浴室乾燥レベルが視覚的に分ることとなる。
【００７９】
次に、上記のように構成した浴室乾燥レベルを表示する動作について図１５を参照しながら説明する。ステップ３２で運転開始後、ステップ３３で湿度「Ｈα」を入力し、ステップ３４で湿度１５％に対する比率を演算し浴室乾燥レベル「ＤＬ」を導く。そして、ステップ３５で演算した結果を「０〜２０％」、「２１〜４０％」、「４１〜６０％」、「６１〜８０％」、「８１〜１００％」の５段階に判別する。そして、ステップ３６で浴室乾燥レベル表示手段３０、例えばＬＥＤにより、段階に応じてＬＥＤを表示する。そして、ステップ３３に戻り動作を繰り返すことでリアルタイムに浴室乾燥レベル「ＤＬ」を表示することとなる。
【００８０】
以上のように、浴室の湿度を検知する湿度センサにより、検知した湿度と所定の湿度との比率を演算することで浴室乾燥レベルをリアルタイムに表示することとする。
【００８１】
なお、本実施の形態３において、浴室乾燥レベルを５段階に表示するとしたがこれよりも少なくても多くても同様の効果を有する。
【００８２】
また、浴室乾燥レベルの表示図柄を衣類としたが他の表示図柄でも作用効果に差異はない。
【００８３】
（実施の形態４）
図１６および図１７に示すように、天井１にダクト２を介して設置された浴室衣類乾燥装置３ｃは、浴室内への空気の取り入れ口、あるいは浴室外への空気の排出口となるルーバー４と、回転することで浴室内の空気をダクト２を介して屋外へ排出する排気ファン５と、回転することで浴室内の空気を循環する循環ファン６と、浴室衣類乾燥装置３ｃに浴室の湿度を検出する湿度検出手段７と、操作部８ｃに運転時間を記憶する経過時間記憶手段１８ａと、所定時間ごとに検出した湿度を入力し、経過時間と浴室が乾燥するまでの時間との差を演算する浴室乾燥時間演算手段３８と、演算した結果を表示する浴室乾燥時間表示手段３９とを備え、浴室乾燥時間をリアルタイムに表示する構成とする。
【００８４】
次に、浴室乾燥時間演算手段３８について図１８を参照しながら説明する。図に示すように、横軸に浴室衣類乾燥装置３ｃの運転時間、縦軸に浴室の湿度を示す湿度−経過時間曲線１１ａの関係は、運転時間が経過するにつれて湿度が低下するという1次曲線で表され、且つ湿度が１５％に達するとそれ以降は飽和する曲線に近似できる。そこで運転開始後の湿度から湿度が１５％になるまでの時間、即ち浴室乾燥が完了するまでの時間を演算することができる。そして、この浴室乾燥が完了するまでの時間と経過時間との差を演算することで浴室乾燥時間を演算できることとなる。そして所定時間ごとに経過時間との差を繰り返し演算することで、浴室乾燥時間を都度、演算できることとなる。
【００８５】
次に、浴室乾燥時間表示手段３９について図１９を参照しながら説明する。図に示すように、浴室衣類乾燥装置３ｃの運転条件を設定する操作部８ｃに、浴室乾燥時間を表示する浴室乾燥時間表示部４０を設け、浴室乾燥時間演算手段３８により演算した浴室乾燥時間を表示する構成とする。
【００８６】
次に、上記のように構成した浴室乾燥時間の表示の動作について図２０を参照しながら説明する。ステップ４１で運転を開始後、運転タイマーをスタートし、ステップ４２で経過時間「Ｔｐ」を記憶する。ステップ４３で運転開始時の湿度「Ｈ０」を入力し、ステップ４４で温度−経過時間曲線から湿度「Ｈ０」における時間「Ｔ０」を演算する。そして、ステップ４５で湿度が１５％になる時間「Ｔ１５」と「Ｔ０」の減算により浴室乾燥完了時間「Ｔｄｒｙ」を演算する。そして、ステップ４６で浴室乾燥完了時間「Ｔｄｒｙ」と経過時間「Ｔｐ」との差を演算することで浴室乾燥時間「Ｔｅｎｄ」を導く。そして、ステップ４７で浴室乾燥時間表示手段３９、例えばＬＥＤにより、表示する。そして、ステップ４２に戻り動作を繰り返すことでリアルタイムに浴室乾燥度時間を表示することとなる。
【００８７】
以上のように、浴室の湿度を検知する湿度センサにより、経過時間と所定の湿度になるまでの時間の差を演算することで浴室乾燥時間をリアルタイムに表示することとする。
【００８８】
（実施の形態５）
図２１に示すように、衣類乾燥レベルあるいは衣類乾燥時間が乾燥状態に達した場合に達した、つまり衣類乾燥が完了した場合に衣類乾燥運転を停止する衣類乾燥停止手段４８を操作部８ｄに設け、衣類が乾燥状態に達すれば衣類乾燥運転を停止する構成とする。
【００８９】
次に、衣類乾燥停止手段４８について説明する。図示はしないが、湿度検出手段７により入力した湿度と、衣類が乾燥する湿度、即ち湿度１５％とを比較することにより、入力した湿度が１５％と等しければ、衣類乾燥が完了したとして運転を停止することとなる。一方、入力した湿度が１５％と等しくなければ、つまりは湿度が１５％より高ければ衣類が乾燥していないこととして、運転を継続することとする。
【００９０】
なお、湿度の入力から衣類乾燥レベルあるいは衣類乾燥時間を表示するまでの動作は実施の形態１および実施の形態２と同様のため、詳細な説明は省略する。
【００９１】
次に、上記のように構成した衣類乾燥停止する動作について図２２を参照しながら説明する。
【００９２】
ステップ４９で入力した湿度「Ｈα」とデフォルト値として記憶している湿度１５％とを比較し等しければ、即ち湿度が１５％に達していれば、ステップ５０で衣類乾燥運転を停止することとなる。一方、等しくなければ、即ち湿度が１５％よりも高ければ、ステップ１４に戻り同様の動作を繰り返す。
【００９３】
なお、ステップ１３からステップ１７までの動作は実施の形態１と同様のため、詳細な説明は省略する。
【００９４】
以上のように、衣類が乾燥状態に達すれば、浴室衣類乾燥装置の運転を停止することとする。
【００９５】
（実施の形態６）
図２３に示すように、浴室乾燥レベルあるいは浴室乾燥時間が乾燥状態に達した場合、つまり浴室乾燥が完了した場合に浴室乾燥運転を停止する浴室乾燥停止手段５１を操作部８ｅに設け、浴室が乾燥状態に達すれば浴室乾燥運転を停止する構成とする。
【００９６】
次に、浴室乾燥停止手段５１について説明する。湿度検出手段７により入力した湿度と、浴室が乾燥する湿度、即ち湿度１５％とを比較することにより、入力した湿度が１５％と等しければ、浴室乾燥が完了したとして運転を停止することとなる。一方、入力した湿度が１５％と等しくなければ、つまりは湿度が１５％より高ければ浴室が乾燥していないこととして、運転を継続することとなる。
【００９７】
なお、湿度の入力から浴室乾燥レベルあるいは浴室乾燥時間を表示するまでの動作は実施の形態３および実施の形態４と同様のため、詳細な説明は省略する。
【００９８】
次に、上記のように構成した浴室乾燥停止の動作について図２４を参照しながら説明する。
【００９９】
ステップ５２で入力した湿度「Ｈα」とデフォルト値として記憶している湿度１５％とを比較し等しければ、即ち湿度が１５％に達していれば、ステップ５０で浴室乾燥運転を停止することとなる。一方、等しくなければ、即ち湿度が１５％よりも高ければ、ステップ１４に戻り同様の動作を繰り返す。
【０１００】
なお、ステップ３２からステップ３６までの動作は実施の形態３と同様のため、詳細な説明は省略する。
【０１０１】
以上のように、浴室が乾燥状態に達すれば、浴室衣類乾燥装置の運転を停止することとする。
【０１０２】
（実施の形態７）
図２５に示すように、衣類乾燥レベルあるいは衣類乾燥時間が乾燥状態に達した場合、つまり衣類乾燥が完了した場合に、ブザーにより報知する報知手段５４を操作部８ｆに設け、衣類が乾燥状態に達すればブザーにより浴室あるいは浴室以外へ報知する構成とする。
【０１０３】
次に、報知手段５４について図２６を参照しながら説明する。
【０１０４】
図に示すように、衣類乾燥が完了した信号を入力する信号入力部５５と、この信号入力部を受けブザー音を発生する圧電素子部５６とからなり、衣類乾燥が完了した信号を受ければブザー音を発生することとなる。
【０１０５】
なお、湿度を入力から衣類乾燥レベルあるいは衣類乾燥時間を表示するまでの動作は実施の形態１または実施の形態２と同様のため、詳細な説明は省略する。
【０１０６】
次に、上記のように構成したブザーにより報知する動作について図２７を参照しながら説明する。
【０１０７】
ステップ５７で衣類乾燥が完了した入力信号を受ければブザーにより報知する。
【０１０８】
以上のように、衣類乾燥が完了したことをブザーにより報知することで、浴室以外の場所へ衣類乾燥が完了したことを知らしめることとなる。
【０１０９】
なお、ステップ１３からステップ１７およびステップの動作は実施の形態５と同様のため、詳細な説明は省略する。
【０１１０】
なお、報知する手段はブザーとしたが、ランプを点灯してもよい。
【０１１１】
（実施の形態８）
図２８に示すように、浴室乾燥レベルあるいは浴室乾燥時間が乾燥状態に達した場合、つまり浴室乾燥が完了した場合、ブザーにより報知する報知手段５４ａを操作部８ｇに設け、浴室が乾燥状態に達すればブザーにより浴室あるいは浴室以外へ報知する構成とする。
【０１１２】
次に、報知手段５４ａについて図２９を参照しながら説明する。
【０１１３】
図に示すように、浴室乾燥が完了した信号を入力する信号入力部５５ａと、この信号入力部を受けブザー音を発生する圧電素子部５６ａとからなり、浴室乾燥が完了した信号を受ければブザー音を発生することとなる。
【０１１４】
なお、湿度を入力から浴室乾燥レベルあるいは浴室乾燥時間を表示するまでの動作は実施の形態３または実施の形態４と同様のため、詳細な説明は省略する。
【０１１５】
次に、上記のように構成したブザーにより報知する動作について図３０を参照しながら説明する。
【０１１６】
ステップ５８で浴室乾燥が完了した入力信号を受ければブザーにより報知する。
【０１１７】
以上のように、浴室乾燥が完了したことをブザーにより報知することで、浴室以外の場所へ浴室乾燥が完了したことを知らしめることとなる。
【０１１８】
なお、ステップ３２からステップ３６およびステップ５２の動作は実施の形態６と同様のため、詳細な説明は省略する。
【０１１９】
なお、報知する手段はブザーとしたが、ランプを点灯してもよい。
【０１２０】
（実施の形態９）
図３１に示すように、操作部８ｈに、デジタル表示部５９を設け、衣類乾燥レベル演算手段９または浴室乾燥レベル演算手段２９により演算した値を「０〜１００％」の数値で点灯する構成とする。
【０１２１】
この表示により、衣類または浴室が全く乾燥していないときは「０％」を示し、徐々に衣類または浴室乾燥レベルが高くなるにつれ、数値が上昇していき衣類または浴室が完全に乾燥した時点では「１００％」を点灯することで、運転している最中においても衣類乾燥レベルまたは浴室乾燥レベルが分ることとなる。
【０１２２】
以上のように、衣類乾燥レベルあるいは浴室乾燥レベルの表示をデジタルによる数値にて表示することとする。
【０１２３】
なお、湿度を入力から衣類乾燥レベルあるいは浴室乾燥レベルを表示するまでの動作は実施の形態１および実施の形態３と同様のため、詳細な説明は省略する。
【０１２４】
（実施の形態１０）
図３２に示すように、操作部８ｉに、表示切替部６０を設け、衣類乾燥レベル表示部１２または浴室乾燥レベル表示部３１の表示を使用者が自在に切替えできる構成とする。
【０１２５】
上記構成により、表示切替部を押下すると表示を切り替えることとして、衣類乾燥レベルを表示したい場合は衣類乾燥レベルを表示し、浴室乾燥レベルを表示したい場合は浴室レベルを表示することで使用者が設定できることとなる。
【０１２６】
なお、湿度を入力から衣類乾燥レベルあるいは浴室乾燥レベルを表示するまでの動作は実施の形態１および実施の形態３と同様のため、詳細な説明は省略する。
【０１２７】
以上のように、衣類乾燥レベルあるいは浴室乾燥レベルを同じ表示パネルで各々、表示することとする。
【産業上の利用可能性】
【０１２８】
浴室に設けた湿度センサを用いて、浴室の湿度と乾燥が完了するまでの湿度あるいは時間との比率を演算することで、衣類乾燥レベルあるいは衣類乾燥時間あるいは浴室乾燥レベルあるいは浴室乾燥時間をリアルタイムで表示することにより、洗濯の乾燥機や食器乾燥機などの用途にも適用できる。
【図面の簡単な説明】
【０１２９】
【図１】本発明の実施の形態１の浴室衣類乾燥装置の構成図
【図２】同実施の形態１の浴室衣類乾燥装置の操作部の構成図
【図３】同実施の形態１の浴室衣類乾燥装置の湿度−運転時間曲線図
【図４】同実施の形態１の浴室衣類乾燥装置の衣類乾燥レベル表示部の構成図
【図５】同実施の形態１の浴室衣類乾燥装置のプログラムのフローチャート
【図６】本発明の実施の形態２の浴室衣類乾燥装置の構成図
【図７】同実施の形態２の浴室衣類乾燥装置の操作部の構成図
【図８】同実施の形態２の浴室衣類乾燥装置の湿度−経過時間曲線図
【図９】同実施の形態２の浴室衣類乾燥装置の衣類乾燥時間表示部の構成図
【図１０】同実施の形態２の浴室衣類乾燥装置のプログラムのフローチャート
【図１１】本発明の実施の形態３の浴室衣類乾燥装置の構成図
【図１２】同実施の形態３の浴室衣類乾燥装置の操作部の構成図
【図１３】同実施の形態３の浴室衣類乾燥装置の湿度−運転時間曲線図
【図１４】同実施の形態３の浴室衣類乾燥装置の浴室乾燥レベル表示部の構成図
【図１５】同実施の形態３の浴室衣類乾燥装置のプログラムのフローチャート
【図１６】本発明の実施の形態４の浴室衣類乾燥装置の構成図
【図１７】同実施の形態４の浴室衣類乾燥装置の操作部の構成図
【図１８】同実施の形態４の浴室衣類乾燥装置の湿度−経過時間曲線図
【図１９】同実施の形態４の浴室衣類乾燥装置の浴室乾燥時間表示部の構成図
【図２０】同実施の形態４の浴室衣類乾燥装置のプログラムのフローチャート
【図２１】本発明の実施の形態５の浴室衣類乾燥装置の操作部の構成図
【図２２】同実施の形態５の浴室衣類乾燥装置のプログラムのフローチャート
【図２３】本発明の実施の形態６の浴室衣類乾燥装置の操作部の構成図
【図２４】同実施の形態６の浴室衣類乾燥装置のプログラムのフローチャート
【図２５】本発明の実施の形態７の浴室衣類乾燥装置の構成図
【図２６】同実施の形態７の浴室衣類乾燥装置の報知手段の構成図
【図２７】同実施の形態７の浴室衣類乾燥装置のプログラムのフローチャート
【図２８】本発明の実施の形態８の浴室衣類乾燥装置の操作部の構成図
【図２９】同実施の形態８の浴室衣類乾燥装置の報知手段の構成図
【図３０】同実施の形態８の浴室衣類乾燥装置のプログラムのフローチャート
【図３１】本発明の実施の形態９の浴室衣類乾燥装置のデジタル表示部の構成図
【図３２】同実施の形態１０の浴室衣類乾燥装置の操作部の構成図
【図３３】従来の換気乾燥機の構成図
【符号の説明】
【０１３０】
１      天井
２      ダクト
３      浴室衣類乾燥装置
３ａ    浴室衣類乾燥装置
３ｂ    浴室衣類乾燥装置
３ｃ    浴室衣類乾燥装置
４      ルーバー
５      排気ファン
６      循環ファン
７      湿度検出手段
８      操作部
８ａ    操作部
８ｂ    操作部
８ｃ    操作部
８ｄ    操作部
８ｅ    操作部
８ｆ    操作部
８ｇ    操作部
８ｈ    操作部
８ｉ    操作部
９      衣類乾燥レベル演算手段
１０    衣類乾燥レベル表示手段
１１    湿度−運転時間曲線
１１ｂ  湿度−経過時間曲線
１１ａ  湿度−経過時間曲線
１２    衣類乾燥レベル表示部
１８    経過時間記憶手段
１８ａ  経過時間記憶手段
１９    衣類乾燥時間演算手段
２０    衣類乾燥時間表示手段
２１    衣類乾燥時間表示部
２９    浴室乾燥レベル演算手段
３０    浴室乾燥レベル表示手段
３１    浴室乾燥レベル表示部
３８    浴室乾燥時間演算手段
３９    浴室乾燥時間表示手段
４０    浴室乾燥時間表示部
４８    衣類乾燥停止手段
５１    浴室乾燥停止手段
５４    報知手段
５４ａ  報知手段
５５    信号入力部
５５ａ  信号入力部
５６    圧電素子部
５６ａ  圧電素子部
５９    デジタル表示部
６０    表示切替部
【図１】
2006068196.tif 000003
【図２】
2006068196.tif 000004
【図３】
2006068196.tif 000005
【図４】
2006068196.tif 000006
【図５】
2006068196.tif 000007
【図６】
2006068196.tif 000008
【図７】
2006068196.tif 000009
【図８】
2006068196.tif 000010
【図９】
2006068196.tif 000011
【図１０】
2006068196.tif 000012
【図１１】
2006068196.tif 000013
【図１２】
2006068196.tif 000014
【図１３】
2006068196.tif 000015
【図１４】
2006068196.tif 000016
【図１５】
2006068196.tif 000017
【図１６】
2006068196.tif 000018
【図１７】
2006068196.tif 000019
【図１８】
2006068196.tif 000020
【図１９】
2006068196.tif 000021
【図２０】
2006068196.tif 000022
【図２１】
2006068196.tif 000023
【図２２】
2006068196.tif 000024
【図２３】
2006068196.tif 000025
【図２４】
2006068196.tif 000026
【図２５】
2006068196.tif 000027
【図２６】
2006068196.tif 000028
【図２７】
2006068196.tif 000029
【図２８】
2006068196.tif 000030
【図２９】
2006068196.tif 000031
【図３０】
2006068196.tif 000032
【図３１】
2006068196.tif 000033
【図３２】
2006068196.tif 000034
【図３３】
2006068196.tif 000035